(57)【特許請求の範囲】
【請求項１】
互いに傾斜する２以上の平面パネル部を有し、これら２以上の平面パネル部のそれぞれに操作部および／または表示部を有し、少なくとも１の平面パネル部に操作部を有し、少なくとも１の平面パネル部に表示部を有する操作パネルと、
これら２以上の平面パネル部の裏面にあって、前記操作部の操作によって切り換えられるスイッチおよび前記表示部に投光するランプを有する１枚の基板を備え、
その基盤が前記操作部を有する前記平面パネル部の１つに略平行に配置されていることを特徴とする加熱調理器。
【請求項２】
前記操作パネルの前記平面パネル部と非平行に伸びる前記基板部に備えられたランプと、このランプに対応する前記表示部との間に、光反射性内面を持つとともに前記ランプを受け入れる筒が伸びていることを特徴とする請求項１に記載の加熱調理器。
【発明の詳細な説明】
【０００１】
【発明の属する技術分野】
本発明は、加熱調理器に関する。特に、互いに傾斜する２以上の平面パネル部を有し、これら２以上の平面パネル部のそれぞれに操作部および／または表示部を有する操作パネルと、これら２以上の平面パネル部の裏面にあって、前記操作部の操作によって切り換えられるスイッチおよび／または前記表示部に投光するランプをそれぞれに有する２以上の基板部とを備えた加熱調理器に好適な技術に関する。
【０００２】
【従来の技術】
従来の加熱調理器の一例を図７を用いて説明する。図７は従来の加熱調理器の操作パネル付近の概略断面図である。
図７に示す従来の加熱調理器１２０は、ケーシング１６６の底面１０９に対し略垂直な平面パネル部１０２と、この略垂直な平面パネル部１０２に対し傾斜状に伸びる平面パネル部１０４とを有する操作パネル２０１を備えている。ここで、略垂直な平面パネル部１０２は表示部１１２を有する。また、傾斜状に伸びる平面パネル部１０４は操作部１２２、１４２および表示部１３２を有する。
また、この加熱調理器１２０は、平面パネル部１０２の裏面にあって、表示部１１２に投光するランプ１１４を有する基板１０３と、平面パネル部１０４の裏面にあって、操作部１２２、１４２の操作によってそれぞれ切り換えられるスイッチ１２４、１４４および表示部１３２に投光するランプ１３４を有する基板１０５を備えている。これら２つの基板１０３と１０５の間はハーネス１０７で接続されている。
図７に示す従来の加熱調理器１２０の場合、基板１０３は略垂直に伸びる平面パネル部１０２に略平行に伸び、基板１０５は傾斜状に伸びる平面パネル部１０４に略平行に伸びている。即ち、相互に傾斜する２つの平面パネル部１０２と１０４に対応して、２つの基板１０３と１０５が配置されている。
【０００３】
【発明が解決しようとする課題】
しかしながら、図７に示す従来の加熱調理器１２０のように、平面パネル部１０２と１０４に対応して、それぞれ別個に基板１０３と１０５を設けると、基板１０３と１０５を別個に製造するコストがかかる。また、基板１０３と１０５を別個に設けると、それぞれの基板１０３と１０５の間を接続するためのハーネス１０７等が必要となる。さらには、基板１０３と１０５をそれぞれにケーシング１６６内に組み付けなければならない。これらの事情から、加熱調理器１２０の製造コストが増加していた。
【０００４】
本発明は、上述した事情に鑑みてなされたものであり、その目的は、基板の数を減らして、加熱調理器の製造コストを低減することにある。
【０００５】
【課題を解決するための手段および作用と効果】
本発明に係る加熱調理器は、操作パネルと１枚の基板を備えている。この操作パネルは、互いに傾斜する２以上の平面パネル部を有し、これら２以上の平面パネル部のそれぞれに操作部および／または表示部を有し、少なくとも１の平面パネル部に操作部を有し、少なくとも１の平面パネル部に表示部を有する。またこの基板は、これら２以上の平面パネル部の裏面にあって、前記操作部の操作によって切り換えられるスイッチおよび前記表示部に投光するランプを有する。そして、その基板が前記操作部を有する前記平面パネル部の１つに略平行に配置されていることを特徴とする。
本発明に係る加熱調理器では、２以上の平面パネル部の裏面に１枚の基板を備えており、この基板がそれら２以上の平面パネル部のうちの操作部を有する平面パネル部の１つに略平行に配置されている。よって、２以上の平面パネル部に対してそれぞれ基板を製造する必要がない。また、基板と基板を接続するためのハーネスが必要とされない。さらに、複数の基板をケーシング内にそれぞれ組み付ける必要もない。
従って、基板やハーネス等の部品数を減らし、組付け工数を低減できる結果、加熱調理器の製造コストを低減することができる。
【０００６】
さらに、前記操作パネルの前記平面パネル部と非平行に伸びる前記基板部に備えられたランプと、このランプに対応する前記表示部との間に、光反射性内面を持つとともに前記ランプを受け入れる筒が伸びていることが好ましい。
ランプが平面パネル部と非平行に伸びる基板部に備えられている場合、ランプとそのランプに対応する表示部との間の間隔が広くなってしまう。間隔が広くても、ランプの光度が高い場合には表示部においてこのランプの光を認識できる。しかしながら、ランプの光度が低い場合には、表示部においてランプの光を認識しにくくなる。
本発明に係る加熱調理器によれば、ランプとこのランプに対応する表示部の間に、光反射性内面を持つとともに前記ランプを受け入れる筒を設けているため、この筒によって、ランプの光が散光せずに表示部に導かれる。従って、表示部においてランプの光を明瞭に認識することができる。
【０００７】
【発明の実施の形態】
本発明の実施の形態の主要な特徴を記載する。
（形態１）  本発明の実施の形態に係る加熱調理器は、表示部を有するとともに、ケーシングの底面に対し略垂直な平面パネル部と、操作部を有するとともに、この略垂直な平面パネル部に対し傾斜状に伸びる平面パネル部とを有する操作パネルと、これら２つの平面パネル部の裏面にあって、前記表示部に投光するランプを有する基板部と、前記操作部の操作によって切り換えられるスイッチを有する基板部とを備え、これら２つの基板部が前記２つの平面パネル部の裏面に亘って伸びる１枚の基板で構成され、前記操作部を有する前記平面パネル部に略平行に配置されていることを特徴とする。
【０００８】
【実施例】
本発明の一実施例に係る加熱調理器の構成を図１を用いて説明する。図１は、本発明の一実施例に係る加熱調理器の概略縦断面図である。
図１に示す加熱調理器２０は、キッチンカウンタ２２ａ、２２ｂの間に設けられた開口２３に落とし込まれて設置されるケーシング６６を備えている。
ケーシング６６の正面（図１においては左側）には、熱量の設定操作等を行う操作パネル２０１が設けられている。この操作パネル２０１の下方には冷却後の空気をケーシング６６の外部へ排出させる排気口８５が設けられている。
ケーシング６６の上方には、耐熱性セラミックを含むトッププレート３０が載置されている。このトッププレート３０の後方（図１においては右側）には、吸気口４２が設けられている。
ケーシング６６の中間部には、誘導加熱コイル２６、この誘導加熱コイル２６等を制御する多くの電子部品（例えば、温度検知用センサ等）を備えた制御基板７４、この制御基板７４に発生した熱を放熱させる放熱フィン３２、誘導加熱コイル２６および制御基板７４等に冷却風を送る冷却ファン３４、この冷却ファン３４を駆動するファンモータ３４ａ、冷却ダクト４０等が備えられている。この冷却ダクト４０は、一端が制御基板７４側に位置し、中間に冷却ファン３４が位置し、他端が吸気口４２と連通している。
ケーシング６６の下方には、ロースタ７０が備えられている。このロースタ７０の内部には、加熱ヒータ７８が備えられている。
【０００９】
次に、本発明の一実施例に係る加熱調理器２０の動作を図１を用いて説明する。図１に示す操作パネル２０１を操作すると、誘導加熱コイル２６が作動する。この誘導加熱コイル２６が作動すると、ファンモータ３４ａが通電する。このファンモータ３４ａが通電すると、冷却ファン３４が回転する。この冷却ファン３４が回転すると、ケーシング６６の外部の空気が吸気口４２から吸入される。この吸入された空気は、冷却ダクト４０を通じて冷却ファン３４の上流側から吸気される。この吸気された空気は、冷却ファン３４の下流側へ吹き出される。この冷却ファン３４の下流側へ吹き出された空気によって、制御基板７４、誘導加熱コイル２６およびロースタ７０からの輻射熱等が冷却される。冷却後の空気は、操作パネル２０１の裏面に設けられた排気口８５からケーシング６６の外部に排出される。
【００１０】
次に、本実施例に係る加熱調理器２０の操作パネル２０１付近の構成を図２および図３を用いて説明する。図２は、加熱調理器２０の操作パネル２０１付近の概略断面図である。図３は、本発明の一実施例に係る加熱調理器の正面の操作パネルを示した図である。
図２に示す加熱調理器２０は、ケーシング６６の底面２０９に対し略垂直な平面パネル部２０２と、この略垂直な平面パネル部２０２に対し傾斜状に伸びる平面パネル部２０４とを有する操作パネル２０１を備えている。ここで、略垂直な平面パネル部２０２は表示部２１２を有する。また、傾斜状に伸びる平面パネル部２０４は、操作部２２２、２４２および表示部２３２を有する。
また、この加熱調理器２０は、平面パネル部２０２の裏面にあって、表示部２１２に投光するランプ２１４を有する基板部２０３と、平面パネル部２０４の裏面にあって、操作部２２２、２４２の操作によってそれぞれ切り換えられるスイッチ２２４、２４４および表示部２３２に投光するランプ２３４を有する基板部２０５とを備えている。
【００１１】
ここで、図３に示すように、平面パネル部２０２は、破線２１０上に表示部２１２を有している。この表示部２１２は、ロースタと中央ヒータの熱力表示部２１２ａ、誘導加熱コイルの出力表示部２１２ｂ、２１２ｃ、タイマの表示部２１２ｄを有している。
平面パネル部２０４は、破線２２０上に操作部２２２を、破線２３０上に表示部２３２を、破線２４０上に操作部２４２を有している。ここで、操作部２２２は、ロースタと中央ヒータの火力調節部２２２ａ、誘導加熱コイルの火力調節部２２２ｂ、２２２ｃ、タイマの時間設定部２２２ｄを有している。また、表示部２３２は、ロースタの加熱表示部２３２ａ、中央ヒータの加熱表示部２３２ｂ、誘導加熱コイルの加熱表示部２３２ｃ、２３２ｄを有している。さらに、操作部２４２は、ロースタの入／切部２４２ａ、中央ヒータの入／切部２４２ｂ、誘導加熱コイルの入／切部２４２ｃ、２４２ｄ、タイマの入／切部２４２ｅ、時間設定部２４２ｆを有している。
なお、図２と図３に示す電源の操作部２６０に対応するスイッチ（図示せず）は、基板部２０３と２０５とは別個に設けられている。
【００１２】
そして、本実施例に係る加熱調理器２０は、図２に示すように、２つの基板部２０３と２０５が１枚の基板２０８で構成されている。即ち、１枚の基板２０８が、２つの平面パネル部２０２、２０４の裏面に亘って共通的に伸びており、この１枚の基板２０８は、操作部２２２、２４２を有する平面パネル部２０４に略平行に配置されていることを特徴とする。よって、複数の基板を別個に製造する必要がない。また、複数の基板の間を接続するためのハーネスも不要である。さらに、複数の基板をケーシング内それぞれ組み付ける必要もない。
従って、基板やハーネス等の部品数を減らし、組付け工数を低減し、製造コストを低減することができる。
【００１３】
また、本実施例に係る加熱調理器２０では、図２に示すランプ２１４は、平面パネル部２０２と非平行に伸びる基板部２０３に備えられており、このランプ２１４とこのランプ２１４に対応する表示部２１２の間に、光反射性内面を持つとともにランプ２１４を受け入れる筒２１６が伸びていることを特徴とする。
ランプ２１４とこのランプ２１４に対応する表示部２１２の間に、光反射性内面を持つ筒２１６が設けられているため、この筒２１６によって、ランプ２１４の光が散光せずに表示部２１２に導かれる。従って、表示部２１２においてランプ２１４の光を明瞭に認識することができる。また、この筒２１６によって、ランプ２１４の位置を保持することができるという効果も奏する。
【００１４】
次に、本発明の他の実施例に係る加熱調理器の構成を図４〜６を用いて説明する。図４〜６は、本発明の他の実施例に係る加熱調理器の操作パネル付近の概略断面図である。
図４に示す実施例は、図１〜３に示す実施例にさらに表示部２５２ｂを有する平面パネル部２０６ｂを付加したものである。また、図４に示す実施例は、平面パネル部２０２ｂ、２０４ｂおよび２０６ｂがそれぞれ互いに傾斜状に形成されている。
図５に示す実施例は、図４に示す実施例では操作部２２２ｂが表示部２１２ｂおよび２５２ｂに対して下方に形成されているのに対し、操作部２２２ｂが表示部２１２ｂおよび２５２ｂに対して上方に形成されている。また、図５に示す実施例も、平面パネル部２０２ｂ、２０４ｂおよび２０６ｂがそれぞれ互いに傾斜状に形成されている。
図６に示す実施例は、図５に示す実施例では操作部２２２ｂが表示部２１２ｂおよび２５２ｂに対して上方に形成されているのに対し、操作部２２２ｂが表示部２１２ｂと表示部２５２ｂの中間に形成されている。また、図６に示す実施例も、平面パネル部２０２ｂ、２０４ｂおよび２０６ｂがそれぞれ互いに傾斜状に形成されている。
【００１５】
図４〜６に示す加熱調理器２０ｂは、ケーシング６６ｂの底面２０９ｂに対し略垂直な平面パネル部２０２ｂと、この略垂直な平面パネル部２０２ｂに対し傾斜状に伸びる平面パネル部２０４ｂと、これら２つの平面パネル部２０２ｂ、２０４ｂに対し傾斜状に伸びる平面パネル部２０６ｂとを有する操作パネル２０１ｂを備えている。ここで、平面パネル部２０２ｂは表示部２１２ｂを有する。また、平面パネル部２０４ｂは操作部２２２ｂを有する。さらに、平面パネル部２０６ｂは表示部２５２ｂを有する。
また、この加熱調理器２０ｂは、平面パネル部２０２ｂの裏面にあって、表示部２１２ｂに投光するランプ２１４ｂを有する基板部２０３ｂと、平面パネル部２０４ｂの裏面にあって、操作部２２２ｂの操作によって切り換えられるスイッチ２２４ｂを有する基板部２０５ｂと、平面パネル部２０６ｂの裏面にあって、表示部２５２ｂに投光するランプ２５４ｂを有する基板部２０７ｂとを備えている。
【００１６】
そして、図４〜６に示す実施例に係る加熱調理器２０ｂは、これら３つの基板部２０３ｂ、２０５ｂおよび２０７ｂが１枚の基板２０８ｂで構成されている。即ち、１枚の基板２０８ｂが、３つの平面パネル部２０２ｂ、２０４ｂおよび２０６ｂの裏面に亘って共通的に伸びており、この１枚の基板２０８ｂは、操作部２２２ｂを有する平面パネル部２０４ｂに略平行に配置されていることを特徴とする。また、図４〜６に示すランプ２１４ｂ、２５４ｂは、それぞれ操作パネル２０１ｂの平面パネル部２０２ｂ、２０６ｂと非平行に伸びる基板部２０３ｂ、２０７ｂに備えられており、このランプ２１４ｂ、２５４ｂのそれぞれに対応する表示部２１２ｂ、２５２ｂの間に、光反射性内面を持つとともにランプ２１４ｂ、２５４ｂを受け入れる筒２１６ｂ、２５６ｂが伸びていることを特徴とする。
上述した図４〜６に示す他の実施例においても、図１〜３に示す実施例と同様の作用効果を奏することができる。
【００１７】
以上、本発明の実施例に係る加熱調理器について説明したが、本発明は上記の実施例になんら限定されるものではなく、本発明は当業者の知識に基づいて種々の変更、改良を施した形態で実施することができる。
【図面の簡単な説明】
【図１】本発明の一実施例に係る加熱調理器の概略縦断面図。
【図２】本発明の一実施例に係る加熱調理器の操作パネル付近の概略断面図。
【図３】本発明の一実施例に係る加熱調理器の正面の操作パネルを示した図。
【図４】本発明の他の実施例に係る加熱調理器の操作パネル付近の概略断面図。
【図５】本発明の他の実施例に係る加熱調理器の操作パネル付近の概略断面図。
【図６】本発明の他の実施例に係る加熱調理器の操作パネル付近の概略断面図。
【図７】従来の加熱調理器の操作パネル付近の概略断面図。
【符号の説明】
２０：加熱調理器
６６：ケーシング
２０１：操作パネル
２０２、２０４、２０６：平面パネル部
２０３、２０５、２０７：基板部
２０８：基板
２１２、２５２：表示部
２１４、２５４：ランプ
２１６：筒
２２２：操作部
２２４：スイッチ
【図１】
0003647721.tif 000002
【図２】
0003647721.tif 000003
【図３】
0003647721.tif 000004
【図４】
0003647721.tif 000005
【図５】
0003647721.tif 000006
【図６】
0003647721.tif 000007
【図７】
0003647721.tif 000008